【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
記録媒体に記録されている複数のコンテンツデータに関する情報を、表示部の表示領域に表示させることが可能な情報処理装置であって、
前記複数のコンテンツデータから、前記コンテンツデータの属性情報に基づくコンテンツデータを選択する第１の選択手段と、
前記第１の選択手段により選択されたコンテンツデータに関する情報を、前記コンテンツデータの属性情報に基づく配置で前記表示領域に表示するよう前記表示部を制御する第１の表示制御手段と、
前記複数のコンテンツデータから、前記第１の表示制御手段で用いられた属性情報とは異なる他の属性情報に基づくコンテンツデータを選択する第２の選択手段と、
前記第２の選択手段により選択されたコンテンツデータに関する情報を、前記他の属性情報に基づく配置で前記表示領域に表示するよう前記表示部を制御する第２の表示制御手段と、
前記第１の表示制御手段により制御された結果が前記表示領域に表示されている間に、前記第２の表示制御手段により前記表示領域の表示を制御するための指示を受け付ける受け付け手段とを有し、
前記第２の表示制御手段は、前記受け付け手段により前記指示が受け付けられた際に前記第１の表示制御手段により情報が表示されていたコンテンツデータの存在を示す情報と、表示されていなかったコンテンツデータの存在を示す情報とを区別可能に表示するよう前記表示部を制御することを特徴とする情報処理装置。
【請求項２】
前記属性情報は日時情報を含み、
前記第１の表示制御手段は、前記コンテンツデータに関する情報を、前記日時情報に基づく配置で前記表示領域に表示するよう前記表示部を制御することを特徴とする請求項１に記載の情報処理装置。
【請求項３】
前記属性情報は位置情報を含み、
前記第２の表示制御手段は、前記コンテンツデータに関する情報を、前記位置情報に基づく配置で前記表示領域に表示するよう前記表示部を制御することを特徴とする請求項１に記載の情報処理装置。
【請求項４】
前記第２の選択手段は、前記第１の選択手段により選択されたコンテンツデータの前記他の属性情報に基づく条件にしたがってコンテンツデータを選択することを特徴とする請求項１に記載の情報処理装置。
【請求項５】
前記第２の表示制御手段は、前記コンテンツデータに関する情報を、地図画像に重畳して表示するよう前記表示部を制御することを特徴とする請求項３に記載の情報処理装置。
【請求項６】
前記受け付け手段により前記第２の表示制御手段により前記表示領域の表示を制御する指示が受け付けられた際に前記第１の表示制御手段により情報が表示されていたコンテンツデータの位置情報に基づき、前記地図画像の縮尺を決定する決定手段を更に有することを特徴とする請求項５に記載の情報処理装置。
【請求項７】
前記決定手段は、前記受け付け手段により「前記第２の表示制御手段により前記表示領域の表示を制御する指示」が受け付けられた際に前記第１の表示制御手段により情報が表示されていたコンテンツデータの位置情報に基づき、前記地図画像の表示範囲を決定することを特徴とする請求項６に記載の情報処理装置。
【請求項８】
前記決定手段は、前記地図画像の表示範囲に所定のマージンを設けることを特徴とする請求項７に記載の情報処理装置。
【請求項９】
前記第２の表示制御手段により制御された結果が前記表示領域に表示されている際に、前記第１の表示制御手段により前記表示領域の表示を制御する指示を受け付ける第２の受け付け手段をさらに有し、
前記第２の受け付け手段により、前記第１の表示制御手段により前記表示領域の表示を制御する指示が受け付けられた場合、前記第１の表示制御手段は、前記受け付け手段により前記第２の表示制御手段により前記表示領域の表示を制御する指示が受け付けられた際に表示されていたコンテンツデータに関する情報を表示することを特徴とする請求項１に記載の情報処理装置。
【請求項１０】
前記複数のコンテンツデータのうち、一部のコンテンツデータをグループ化する手段と、
前記複数のコンテンツデータのうち前記グループ化されたコンテンツデータに関する情報のみを表示するモードを含む複数のモードからひとつを選択する手段とを更に有し、
前記モードが前記グループ化されたコンテンツデータに関する情報のみを表示するモードの場合、前記第２の表示制御手段は、前記第１の選択手段により選択されたコンテンツデータに関する情報と前記第１の選択手段により選択されていなかったコンテンツデータに関する情報とを区別せずに表示するよう前記表示部を制御することを特徴とする請求項１に記載の情報処理装置。
【請求項１１】
前記コンテンツデータに関する情報は、前記コンテンツデータの存在を示すアイコンまたは前記コンテンツデータの内容を示す画像を含むことを特徴とする請求項１に記載の情報処理装置。
【請求項１２】
前記コンテンツデータの存在を示す情報は、前記コンテンツデータの存在を示すアイコンまたは前記コンテンツデータの内容を示す画像を含むことを特徴とする請求項１に記載の情報処理装置。
【請求項１３】
前記第１の表示制御手段は、更にスクロールバーを表示するよう前記表示部を制御し、
前記スクロールバーが操作された場合、前記第１の選択手段は、現在表示されているコンテンツデータとは異なるコンテンツデータを選択することを特徴とする請求項１に記載の情報処理装置。
【請求項１４】
記録媒体に記録されている複数のコンテンツデータに関する情報を、表示部の表示領域に表示させることが可能な情報処理装置の制御方法であって、
前記複数のコンテンツデータから、前記コンテンツデータの属性情報に基づくコンテンツデータを選択する第１の選択工程と、
前記第１の選択工程で選択されたコンテンツデータに関する情報を、前記コンテンツデータの属性情報に基づく配置で前記表示領域に表示するよう前記表示部を制御する第１の表示制御工程と、
前記複数のコンテンツデータから、前記第１の表示制御工程で用いられた属性情報とは異なる他の属性情報に基づくコンテンツデータを選択する第２の選択工程と、
前記第２の選択工程で選択されたコンテンツデータに関する情報を、前記他の属性情報に基づく配置で前記表示領域に表示するよう前記表示部を制御する第２の表示制御工程とを有し、
前記第１の表示制御工程では、前記第２の表示制御工程を実行する指示を受け付け、
前記第２の表示工程では、前記指示が受け付けられた際に情報が表示されていたコンテンツデータの存在を示す情報と、情報が表示されていなかったコンテンツデータの存在を示す情報とを区別可能に表示するよう前記表示部を制御することを特徴とする情報処理装置の制御方法。
【請求項１５】
コンピュータを、請求項１乃至１３のいずれか１項に記載の情報処理装置の各手段として機能させるための、コンピュータが読み取り可能なプログラム。
【手続補正２】
【補正対象書類名】明細書
【補正対象項目名】０００５
【補正方法】変更
【補正の内容】
【０００５】
上述の問題を解決するために、本願発明の情報処理装置は、記録媒体に記録されている複数のコンテンツデータに関する情報を、表示部の表示領域に表示させることが可能な情報処理装置であって、前記複数のコンテンツデータから、前記コンテンツデータの属性情報に基づくコンテンツデータを選択する第１の選択手段と、前記第１の選択手段により選択されたコンテンツデータに関する情報を、前記コンテンツデータの属性情報に基づく配置で前記表示領域に表示するよう前記表示部を制御する第１の表示制御手段と、前記複数のコンテンツデータから、前記第１の表示制御手段で用いられた属性情報とは異なる他の属性情報に基づくコンテンツデータを選択する第２の選択手段と、前記第２の選択手段により選択されたコンテンツデータに関する情報を、前記他の属性情報に基づく配置で前記表示領域に表示するよう前記表示部を制御する第２の表示制御手段と、前記第１の表示制御手段により制御された結果が前記表示領域に表示されている間に、前記第２の表示制御手段により前記表示領域の表示を制御するための指示を受け付ける受け付け手段とを有し、前記第２の表示制御手段は、前記受け付け手段により前記指示が受け付けられた際に前記第１の表示制御手段により情報が表示されていたコンテンツデータの存在を示す情報と、表示されていなかったコンテンツデータの存在を示す情報とを区別可能に表示するよう前記表示部を制御することを特徴とする。